(57)【要約】【課題】装着させられる者の状態に関わらず、容易に装着させることができる止着テープ型紙おむつとする。【解決手段】背側１０Ｂの両側端部にそれぞれ止着テープ１０Ｆが備えられ、これらの止着テープ１０Ｆを共に腹側１０Ａに回し込み止着することによって装着可能とされた止着テープ型紙おむつ１０について、腹側１０Ａの両側端部に両端部がそれぞれ接合された帯材１１を備え、この帯材１１を所定の位置１４で分離し、この分離後の各帯材１１Ｌ，１１Ｒを背側１０Ｂに回し込み止着することによっても装着可能とする。【選択図】図４
2007268214.tif 000002
【特許請求の範囲】
【請求項１】
背側の両側端部にそれぞれ止着テープが備えられ、
これらの止着テープを共に腹側に回し込み止着することによって装着可能とされた止着テープ型紙おむつであって、
腹側の両側端部に両端部がそれぞれ接合された帯材が備えられ、
この帯材を所定の位置で分離し、この分離後の各帯材を背側に回し込み止着することによっても装着可能とされた、ことを特徴とする止着テープ型紙おむつ。
【請求項２】
前記止着テープの内面にフック型面ファスナーが設けられ、かつ前記帯材の外面がループ型面ファスナーで構成されている、請求項１記載の止着テープ型紙おむつ。
【請求項３】
前記帯材は、前記所定の位置にミシン目が形成されており、このミシン目を引き裂くことによって分離可能とされている、請求項１又は請求項２記載の止着テープ型紙おむつ。
【請求項４】
前記帯材は、前記所定の位置を境界とする別体とされており、
内面にフック型面ファスナーが設けられた止着シートが、前記帯材の外面に前記所定の位置を横切るように止着されている、請求項２記載の止着テープ型紙おむつ。
【請求項５】
前記帯材は、前記所定の位置近傍において折り返されてなる折り返しシートの対からなり、
これらの折り返しシートは、それぞれ基端部が前記腹側の側端部に接合され、折り返し端部が他の折り返し端部と止着され、先端部が内面に設けられた止着手段の止着力によって前記基端部に止着されており、
前記止着手段の止着力によって、前記折り返しシートを背側に回し込んだときの止着も可能とされている、請求項１〜４のいずれか１項に記載の止着テープ型紙おむつ。
【発明の詳細な説明】
【技術分野】
【０００１】
本発明は、特に大人用とするに好ましい止着テープ型紙おむつに関するものである。
【背景技術】
【０００２】
従来から、止着テープ型紙おむつとしては、図１に示すものがある。この従来の止着テープ型紙おむつ１００は、表面シート１０１、吸収要素１０３及び裏面シート１０２が、この順に積層されてなる。そして、例えば、裏面シート１０２の背側１００Ｂの両側端部に、それぞれ止着テープ１００Ｆ，１００Ｆが備えられている（例えば、特許文献１参照。）。この従来の止着テープ型紙おむつ１００は、止着テープ１００Ｆ，１００Ｆ…を腹側１００Ａに回し込み止着することのみで装着することができ、装着容易であるとされている。
しかしながら、この従来の止着テープ型紙おむつ１００は、次のような問題も有している。
すなわち、監護者等が止着テープ型紙おむつ１００を装着させるにあたり、装着させられる者（以下、単に装着者ともいう。）は、常にベッド等の上で横になっているとは限らない。例えば、特に装着者が大人である場合は、トイレ等において立っている場合もある（いわゆる立ちオムツ）。この立ちオムツの場合、図２に示すように、装着者Ｘは、転倒防止等のために、例えば、壁Ｗや手すりなどに手Ｘｈを付くなどして、監護者Ｙ等に背を向けた状態で立っている。したがって、監護者Ｙ等は、装着者Ｘの後ろから手Ｙｈを差し出し、止着テープ１００Ｆ，１００Ｆ…を、装着者Ｘの腹側１００Ａに回し込み止着しなければならない。監護者Ｙ等は、当然、装着者Ｘの腹側１００Ａを目視することができないため、この装着作業は感覚に基づいて行うことになり、煩瑣で、例えば、止着テープ１００Ｆ，１００Ｆ…を適切な位置に止着することができない場合も生じる。
【特許文献１】特開２００１−２７６１１９号公報
【発明の開示】
【発明が解決しようとする課題】
【０００３】
本発明が解決しようとする主たる課題は、装着させられる者の状態に関わらず、容易に装着させることができる止着テープ型紙おむつを提供することにある。
【課題を解決するための手段】
【０００４】
この課題を解決した本発明は、次のとおりである。
〔請求項１記載の発明〕
背側の両側端部にそれぞれ止着テープが備えられ、
これらの止着テープを共に腹側に回し込み止着することによって装着可能とされた止着テープ型紙おむつであって、
腹側の両側端部に両端部がそれぞれ接合された帯材が備えられ、
この帯材を所定の位置で分離し、この分離後の各帯材を背側に回し込み止着することによっても装着可能とされた、ことを特徴とする止着テープ型紙おむつ。
【０００５】
〔請求項２記載の発明〕
前記止着テープの内面にフック型面ファスナーが設けられ、かつ前記帯材の外面がループ型面ファスナーで構成されている、請求項１記載の止着テープ型紙おむつ。
【０００６】
〔請求項３記載の発明〕
前記帯材は、前記所定の位置にミシン目が形成されており、このミシン目を引き裂くことによって分離可能とされている、請求項１又は請求項２記載の止着テープ型紙おむつ。
【０００７】
〔請求項４記載の発明〕
前記帯材は、前記所定の位置を境界とする別体とされており、
内面にフック型面ファスナーが設けられた止着シートが、前記帯材の外面に前記所定の位置を横切るように止着されている、請求項２記載の止着テープ型紙おむつ。
【０００８】
〔請求項５記載の発明〕
前記帯材は、前記所定の位置近傍において折り返されてなる折り返しシートの対からなり、
これらの折り返しシートは、それぞれ基端部が前記腹側の側端部に接合され、折り返し端部が他の折り返し端部と止着され、先端部が内面に設けられた止着手段の止着力によって前記基端部に止着されており、
前記止着手段の止着力によって、前記折り返しシートを背側に回し込んだときの止着も可能とされている、請求項１〜４のいずれか１項に記載の止着テープ型紙おむつ。
【発明の効果】
【０００９】
本発明によると、装着させられる者の状態に関わらず、容易に装着させることができる止着テープ型紙おむつとなる。
【発明を実施するための最良の形態】
【００１０】
次に、本発明の実施の形態を説明する。
〔紙おむつの形状など〕
図３及び図４に示すように、本形態の止着テープ型紙おむつ１０は、表面シート１、吸収要素３及び裏面シート２が、この順に積層されて主になる。吸収要素３は、吸収体３１が被覆シート３２で被覆されて主になる。被覆シート３２によって、吸収体３１の形状保持が図られている。吸収要素３は、例えば、図３に示すように、前後方向中央部が幅狭の平面略砂時計型状とすることができる。裏面シート２は、１枚（１層）のシートで構成されていても、２枚、３枚、４枚又はそれ以上の複数枚のシートで構成されていてもよい。２枚のシートで構成されている形態としては、例えば、体液不透過性の防水シート及び体液透過性の外装シートが、この順に積層された形態を例示することができる。この形態において、防水シートは、例えば、吸収体３１の存在領域のみに配置することもできる。
【００１１】
表面シート１及び裏面シート２は、止着テープ型紙おむつ１０の平面外形と同じ形状になっており、前後端部及び両側部が吸収要素３の前後端縁又は両側縁よりも前後方又は側方に延出している。これら表面シート１及び裏面シート２の側方への延出は、特に前後端部において長くなっている。この長く延出した部位（以下、単に「延出部」ともいう。）において、表面シート１及び裏面シート２は、接合されている。この接合の方法は、特に限定されない。例えば、ホットメルト接着、超音波シール、ヒートシール（熱融着）、ヒートプレス（熱圧着）又はこれらの組み合わせによることなどができる。
【００１２】
一方、裏面シート２の背側１０Ｂの両側端部には、それぞれ止着テープ１０Ｆ，１０Ｆが備えられている。この止着テープ１０Ｆ，１０Ｆ…を共に腹側１０Ａに回し込み止着することによって、本止着テープ型紙おむつ１０を装着者に装着することができる。図示例において、止着テープ１０Ｆ，１０Ｆ…は、細帯状となっているが、これに限定する趣旨ではない。例えば、裏面シート２の背側１０Ｂの両側端部に接合された１枚のシートと、このシートから側方に例えば上下２段に延出する接合片と、からなる形態などを例示することもできる。この形態としては、例えば、特開昭６３−２４９７０４号公報などを参考にすることができる。また、図示例のように、止着テープ１０Ｆが、上下２段で設けられている場合は、上下２段の止着テープ１０Ｆ，１０Ｆを、平行状態のまま止着することも（通常止め）、交差させて止着することも（クロス止め）できる。一般に、通常止めは、標準的な体型の人から太った体型の人に多く用い、クロス止めは、痩せた体型の人に多く用いる。
【００１３】
加えて、本形態においては、裏面シート２の腹側１０Ａの両側端部に両端部がそれぞれ接合された帯材１１が備えられている。そして、この帯材１１は、所定の位置１４で分離することができ、この分離後の各帯材１１Ｌ，１１Ｒを背側１０Ｂに回し込み止着することによっても、本止着テープ型紙おむつ１０を装着者に装着することができる。したがって、本形態の止着テープ型紙おむつ１０は、装着者の背側１０Ｂにおける止着作業、つまり目視することができる位置での止着作業が可能となり、装着者の状態に関わらず容易に装着させることができる。
【００１４】
このような観点に基づいて、帯材１１の分離位置である所定の位置１４は、適宜設計することができる。つまり、所定の位置１４を、一方端部（裏面シート２の腹側１０Ａの一方側端部）に偏らせすぎると、目視することができる位置での止着作業が不可能となるため、これが避けられる範囲で適宜設計することができる。
【００１５】
本形態の止着テープ型紙おむつ１０は、止着テープ１０Ｆ，１０Ｆ…の内面１０Ｆａ，１０Ｆａ…にフック型面ファスナーが設けられ、かつ帯材１１の外面１１ａがループ型面ファスナーで構成されているのが好ましい。この形態によると、帯材１１が、いわゆるターゲットシートとしての役目も果たすことになるため、従来の止着テープ型紙おむつと部材数が同数となり、製造コスト削減につながる。
【００１６】
本形態の帯材１１は、所定の位置１４における分離が、どのような形態であるが故に可能となっているかが、特に限定されない。ただし、所定の位置１４に沿ってミシン目が形成されており、このミシン目を引き裂くことによって分離可能とされているのが好ましい。この形態は、例えば１枚のシートにミシン目を形成するのみで帯材１１とすることができるため、製造容易という点で製造コスト削減につながる。
この際、ミシン目の引裂強度は、通常１〜２０Ｎ、好ましくは２．５〜１０Ｎである。
【００１７】
また、帯材１１が分離可能とされた構成としては、帯材１１の外面１１ａがループ型面ファスナーで構成されている場合においては、図５に示すように、帯材１１が所定の位置１４を境界とする別体１１Ｌ，１１Ｒとされており、内面にフック型面ファスナー１５Ａが設けられた止着シート１５が、帯材１１の外面１１ａに所定の位置１４を横切るように止着されている形態が好ましい。この形態においては、本止着テープ型紙おむつ１０の装着にあたり、帯材１１から止着シート１５を取り外し（止着の解除）、この取り外した止着シート１５を、図６に示すように、フック型面ファスナー１５Ａが外面となるように、裏面シート２の背側１０Ｂにあてがう。そして、止着シート１５の取り外しによって分離された各帯材１１Ｌ，１１Ｒを、裏面シート２の背側１０Ｂに回し込み、ループ型面ファスナーで構成された帯材１１の表面１１ａを、止着シート１５のフック型面ファスナー１５Ａと当接させ、止着する。したがって、本形態によると、帯材１１の表面１１ａを構成するループ型面ファスナーが、常に（止着テープ１０Ｆ，１０Ｆ…による装着形態においても帯材１１による装着形態においても）利用されることになり、資材の有効利用に資する。
【００１８】
この点、この形態のように止着シート１５を利用する形態としては、例えば、図７に示すように、止着シート１５が帯材１１の内面に所定の位置１４を横切るように止着されている形態も例示することができる。ただし、この形態は、帯材１１の内面もループ型面ファスナーで構成しておく必要があり、また、止着シート１５の取り外しが煩瑣となるおそれがあるため、先の形態の方が好ましい。
【００１９】
以上のほか、帯材１１が分離可能とされた構成としては、図８に示す形態を例示することができる。この形態においては、帯材１１が、所定の位置１４近傍において折り返されてなる折り返しシートの対１１Ｌ，１１Ｒからなる。これらの折り返しシート１１Ｌ，１１Ｒは、それぞれ基端部１１Ｌａ，１１Ｒａが裏面シート２の腹側１０Ａの側端部に接着剤１３Ｌ，１３Ｒ等で接合され、折り返し端部１１Ｌｂ，１１Ｒｂが他の折り返し端部１１Ｒｂ，１１Ｌｂと粘着剤１３Ｃ等によって止着され、先端部１１Ｌｃ，１１Ｒｃが内面に設けられた止着手段１６Ｌ，１６Ｒの止着力によって基端部１１Ｌａ，１１Ｒａに止着されている。そして、図９に示すように、止着手段１６Ｌ，１６Ｒの止着力によって、各折り返しシート１１Ｌ，１１Ｒを背側１０Ｂに回し込んだときの止着も可能とされている。この形態は、帯材１１が、前述した各形態と比較して実質的に２倍の長さであるため、ウェスト周りのサイズ許容性が大きくなる。この形態において、止着手段１６Ｌ，１６Ｒとしては、例えば、粘着剤、フック型面ファスナーなどを例示することができる。フック型面ファスナーとしては、現在、ループ型面ファスナーに対してだけではなく、通常の不織布等に対しても止着力を有するものがある。したがって、裏面シート２が不織布である場合は、止着手段１６Ｌ，１６Ｒとして不織布等に対しても止着力を有するフック型面ファスナーを使用するのが好ましい。また、帯材１１の表面１１ａがループ型面ファスナーで構成されている場合においては、一方の折り返しシート１１Ｌ，１１Ｒの止着手段１６Ｌ，１６Ｒを、他方の折り返しシート１１Ｒ，１１Ｌに対して止着するようにすると、強度の止着力が得られることになる。この場合、各折り返しシート１１Ｌ，１１Ｒとして、伸縮性を有するものを使用すれば、止着手段１６Ｌ，１６Ｒによる止着を解除することなく、本紙おむつ１０を上げ下ろしすることができ、特に大人用とするに好ましいものとなる。
【００２０】
（その他）
（１）トップシート１と吸収要素３との間には、図４に示すように、セカンドシート４を介在させることもできる。セカンドシート４を介在させると、体液の拡散性が向上し、吸収要素３が全面にわたって有効利用されることになる。
（２）吸収要素３は、裏面シート２に接合することができる。この接合によって、止着テープ型紙おむつ１０の形状保持性が向上する。なお、この接合は、延出部における接合と同様の方法で行うことができる。
（３）止着テープ型紙おむつ１０には、例えば、立体ギャザーや立体カフス等の公知の漏れ防止手段などを設けることもできる。
（４）本形態においては、特に断り書きがない限り、止着の方法が限定されない。粘着剤や面ファスナーなどを利用した止着の方法を用いることができる。
【００２１】
〔各部材の素材等〕
（表面シート１）
本形態において、表面シート１は体液を透過する性質を有する。したがって、表面シート１の素材は、この体液透過性を発現するものであれば足り、例えば、有孔又は無孔の不織布や、多孔性プラスチックシートなどを例示することができる。また、このうち不織布は、その原料繊維が何であるかは、特に限定されない。例えば、ポリエチレン（ＰＥ）やポリプロピレン（ＰＰ）等のオレフィン系、ポリエステル系、ポリアミド系等の合成繊維、レーヨンやキュプラ等の再生繊維、綿等の天然繊維などや、これらから二種以上が使用された混合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法等を例示することができる。例えば、柔軟性、ドレープ性を求めるのであれば、スパンレース法が、嵩高性、ソフト性を求めるのであれば、サーマルボンド法が、好ましい加工方法となる。
また、表面シート１は、１枚のシートからなるものであっても、２枚以上のシートを貼り合せて得た積層シートからなるものであってもよい。同様に、表面シート１は、平面方向に関して、１枚のシートからなるものであっても、２枚以上のシートからなるものであってもよい。
【００２２】
（セカンドシート４）
セカンドシート４は、体液を拡散し透過する性質を有する。したがって、セカンドシート４の素材は、この体液拡散・透過性を発現するものであれば足り、例えば、表面シート１と同様の素材などを例示することができる。ただし、例えば、スパンレース、パルプ不織布、パルプとレーヨンとの混合シート、ポイントボンド又はクレープ紙であると、好ましいものとなる。また、セカンドシート４は、表面シート１よりも体液の透過性がよいものが特に好ましく、表面シート１よりも繊維密度が小さい、例えば、ポリプロピレン、ポリエチレン、ポリエチレンテレフタレート、ポリアミド、ナイロン、レーヨン、ビニロン、アクリル等からなる不織布であると、特に好ましいものとなる。
【００２３】
（吸収体３１）
吸収体３１としては、例えば、フラッフ状のパルプ繊維集合体（積繊パルプ）内に、粒状の吸収性ポリマーが混入されてなるものなどを、例示することができる。
吸収性ポリマーとしては、自重の例えば１０倍以上の体液を吸収して保持するものを使用することができる。この例としては、でんぷん系や、セルロース系、合成ポリマー系などのものがあり、でんぷん‐アクリル酸（塩）グラフト共重合体、でんぷん‐アクリロニトリル共重合体のケン化物、ナトリウムカルボキシメチルセルロースの架橋物やアクリル酸（塩）重合体などのものを用いることができる。吸収性ポリマーの形状としては、通常用いられる粉粒体状のものが好適であるが、他の形状のものも用いることができる。
積繊パルプに対する吸収性ポリマーの量的配置、密度分布は、汎用を目的とする場合には均一であるのが好ましいが、特別の吸収特性を発揮させることを目的とした場合、その目的に応じて偏らせるのも好ましい。
一方、積繊パルプの原料素材は、特に限定されない。例えば、綿状パルプや合成パルプなどの公知の素材を例示することができる。また、パルプの原料繊維は特に限定されず、例えば、機械パルプ、化学パルプ、溶解パルプ等の木材から得られるセルロース繊維や、レーヨン、アセテート等の人工セルロース繊維などを例示することができる。ただし、セルロース繊維の原材料となる木材は、広葉樹より針葉樹の方が、繊維長が長いため、機能及び価格の面で好ましい。
【００２４】
（被覆シート３２）
本形態において、被覆シート３２の素材は体液を透過する性質を有するものであればよく、その種類は特に限定されない。例えば、表面シート１として例示したのと同様の素材とすることができる。具体的には、例えば、クレープ紙、不織布、孔開きシート等の体液透過性シートを用いることができる。
【００２５】
（裏面シート２）
本形態において、裏面シート２は体液を透過しない性質を有する。したがって、バックシート２の素材は、この体液不透過性を発現するものであれば足り、例えば、ポリエチレンやポリプロピレン等のオレフィン系樹脂や、ポリエチレンシート等に不織布を積層したラミネート不織布、防水シートを介在させて実質的に不透液性を確保した外装シート等の不織布（この場合は、防水シートと外装シート等の不織布とで体液不透過性のバックシート３が構成される。）などを例示することができる。もちろん、このほかにも、近年、ムレ防止の観点から好まれて使用されている不透液性かつ透湿性を有する素材も例示することができる。この不透液性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。
【００２６】
（止着テープ１０Ｆ、帯材１１）
本形態において、止着テープ１０Ｆ、帯材１１の素材は、特に限定されない。不織布等、表面シート１や裏面シート２と同様の素材を使用することができる。
【産業上の利用可能性】
【００２７】
本発明は、特に大人用とするに好ましい止着テープ型の紙おむつとして、適用可能である。
【図面の簡単な説明】
【００２８】
【図１】従来の止着テープ型紙おむつの平面図である。
【図２】従来の止着テープ型紙おむつの装着方法例である。
【図３】本形態の止着テープ型紙おむつの平面図である。
【図４】図３のＩ−Ｉ線断面図である。
【図５】帯材の形態例である（装着前）。
【図６】帯材の形態例である（装着後）。
【図７】帯材の形態例である（装着前）。
【図８】帯材の形態例である（装着前）。
【図９】帯材の形態例である（装着後）。
【符号の説明】
【００２９】
１…表面シート、２…裏面シート、３…吸収要素、４…セカンドシート、１０…紙おむつ、１０Ａ…腹側、１０Ｂ…背側、１０Ｆ…止着テープ、１１…帯材、３１…吸収体、３２…被覆シート。
【図１】
2007268214.tif 000003
【図２】
2007268214.tif 000004
【図３】
2007268214.tif 000005
【図４】
2007268214.tif 000006
【図５】
2007268214.tif 000007
【図６】
2007268214.tif 000008
【図７】
2007268214.tif 000009
【図８】
2007268214.tif 000010
【図９】
2007268214.tif 000011